(57)【要約】【課題】一方と他方のログハウス用木材とを垂直に組み合わせたものを順次多段に積み重ねて使用しても、極力高さ誤差を解消する作業をする必要がないようにすること。【解決手段】一方のログハウス用木材２１Ａ１のほぞ溝２９Ａに他方のログハウス用木材２１Ａ２のほぞ３０Ａを上方から嵌合させて、垂直に連結結合して一方の壁面構成体２１Ａを形成する。一方のログハウス用木材２１Ｂ１のほぞ溝２９Ｂに他方のログハウス用木材２１Ｂ２のほぞ３０Ｂを下方から嵌合させて、垂直に連結結合して他方の壁面構成体２１Ｂを形成する。一方の壁面構成体２１Ａの上の中央面２５Ａ１、２５Ａ２と他方の壁面構成体２１Ｂの下の中央面２７Ｂ１、２７Ｂ２とを面接触させると共に一方の壁面構成体２１Ａの嵌合突部２３Ａ１、２３Ａ２に他方の壁面構成体２１Ｂの嵌合溝２４Ｂ１、２４Ｂ２をそれぞれ嵌合させ、一方の壁面構成体２１Ａ上に他方の壁面構成体２１Ｂを固定する。【選択図】図７
2017133266.tif 000002
【特許請求の範囲】
【請求項１】
上面に長手方向に沿って設けられた平行な複数条の嵌合突部間に平面状の中央面及び各嵌合突部の外側に外方に向けて徐々に低くなる下り傾斜面を設けると共に、下面に長手方向に沿って設けられた平行な複数条の嵌合溝間に平面状の中央面及び各嵌合溝の外側に外方に向けて徐々に低くなる下り斜面が形成された２本のログハウス用木材のうち、一方のログハウス用木材のほぞ溝に他方のログハウス用木材のほぞを上方から嵌合させて、両者を垂直に連結結合して作製された一方の壁面構成体と、
上面に長手方向に沿って設けられた平行な複数条の嵌合突部に平面状の中央面及び各嵌合突部の外側に外方に向けて徐々に低くなる下り傾斜面を設けると共に、下面に長手方向に沿って設けられた平行な複数条の嵌合溝間に平面状の中央面及び各嵌合溝の外側に外方に向けて徐々に低くなる下り斜面が形成された２本のログハウス用木材のうち、一方のログハウス用木材のほぞ溝に他方のログハウス用木材のほぞを下方から嵌合させて、両者を垂直に連結結合して作製された他方の壁面構成体とを備え、
前記一方の壁面構成体の両ログハウス用木材の上面に設けられた前記中央面と前記他方の壁面構成体の両ログハウス用木材の下面に設けられた前記中央面とを面接触させると共に前記一方の壁面構成体の両ログハウス用木材の上面に設けられた前記嵌合突部に前記他方の壁面構成体の両ログハウス用木材の下面に設けられた前記嵌合溝をそれぞれ嵌合させて、固定手段により前記一方の壁面構成体上に前記他方の壁面構成体を固定することにより作製されたことを特徴とするログハウスに使用される壁面構成体。
【請求項２】
前記一方の壁面構成体の前記他方のログハウス用木材の前記ほぞはその上面を前記中央面を延長したもので連結側先端面の上部を外方へ突出して形成すると共に、前記他方の壁面構成体の前記他方のログハウス用木材の前記ほぞはその下面を前記中央面を延長したもので連結側先端面の下部を外方へ突出して形成したことを特徴とする請求項１に記載のログハウスに使用される壁面構成体。
【請求項３】
請求項１に記載の前記固定手段により前記一方の壁面構成体上に前記他方の壁面構成体を固定して作製された一対の壁面構成体を多段に積み重ねて作製することを特徴とするログハウスに使用される壁面構成体。
【発明の詳細な説明】
【技術分野】
【０００１】
本発明は、ログハウスに使用される壁面構成体に関する。詳述すると、複数本のログハウス用木材を使用して平面視Ｔ字状（垂直）に組み合わされる壁面構成体に関するものである。
【背景技術】
【０００２】
壁面から雨水などが侵入するのを防止するログハウス用木材は、例えば特許文献１にて提案されている。そして、このようなログハウス用木材を２本使用してログハウスの外壁と部屋の仕切壁を形成するように、平面視Ｔ字状（垂直）に組み合わされるようにして、ログハウスに使用される壁面構成体１０を構成した場合について、図８及び図９に基づいて説明する。
【０００３】
先ず、一方の側面を曲面とした概ね角柱状のログハウス用木材１の上面に長手方向に沿って平行な複数条の嵌合突部２を設けると共に下面に長手方向に沿って平行な複数条の嵌合溝３を設ける。そして、下段の前記ログハウス用木材１上面の前記嵌合突部２に上段のログハウス用木材１下面の前記嵌合溝３を嵌め合わせようにして、下段の前記ログハウス用木材１上に上段のログハウス用木材１を載置して、ログハウスの外壁を形成するために、前記ログハウス用木材１を順次多段に積み重ねるのが一般的である。
【０００４】
この場合、上面にはこの上面に形成された複数条の前記嵌合突部２間の中央面４と各嵌合突部２の外側に外方に向けて徐々に低くなる下り斜面５とを形成すると共に、下面にはこの下面に形成された複数条の前記嵌合溝３間の中央面６と前記嵌合溝３のそれぞれの外側に外方に向けて徐々に低くなる下り斜面７とを形成する。
【０００５】
そして、ログハウスの前記外壁及び前記仕切壁を形成するために、一方のログハウス用木材１には上面と連結側側面との角部にほぞ溝８を形成し、このほぞ溝８に上方から嵌合するほぞ９を前記他方のログハウス用木材２１１の連結側先端面の上部を外方へ突出させるように形成し、一方のログハウス用木材１の前記ほぞ溝８に他方のログハウス用木材１の前記ほぞ９を上方から嵌合させるようにして、一方のログハウス用木材１と他方のログハウス用木材１とを平面視Ｔ字状（垂直）に組み合わせ、この組み合わせた壁面構成体１０を順次多段に積み重ねるのが一般的である。
【先行技術文献】
【特許文献】
【０００６】
【特許文献１】実開平６−２５４０８号公報
【発明の概要】
【発明が解決しようとする課題】
【０００７】
なお、外側から雨水やゴミ・埃等が侵入するのを防止するために、前述したように、前記嵌合突部２を設けるが、より確実に防止するために、前記ログハウス用木材１の上面にあってはこの上面の前記嵌合突部２間の前記中央面４より前記嵌合突部２の外側の前記下り斜面５の最上部を低くすると共に、下面にあってはこの下面の前記嵌合溝３間の前記中央面６より前記嵌合溝３の外側の下り斜面７の最上部を低くしている。
【０００８】
そして、平面視Ｔ字状に組み合わせた前記壁面構成体１０を順次多段に積み重ねる場合には、前記ほぞ溝８が形成された一方のログハウス用木材１の組み合わせ側の前記下り斜面５とほぼ同じ面一となるように、前記ほぞ９が形成された他方のログハウス用木材１の組み合わせ側の前記ほぞ９の根元に近い部位Ｓを削る必要がる。即ち、下段の一方のログハウス用木材１の前述した組み合わせ側の前記下り斜面５の延長線上にある他方のログハウス用木材１の前記ほぞ９の根元に近い前記嵌合突部２及び前記中央面４を削る必要がある。
【０００９】
このように削らないと、下段の一方のログハウス用木材１の前述した組み合わせ側の前記下り斜面５の延長線上にある他方のログハウス用木材１の前記嵌合突部２が邪魔となって、下段の一方のログハウス用木材１の前記嵌合突部２に上段の一方のログハウス用木材１の前記嵌合溝３を嵌めることができずに、上段のログハウス用木材１と下段のログハウス用木材１との間に隙間が生じてしまうという問題が生じる。即ち、下段のログハウス用木材１の前記嵌合突部２に上段のログハウス用木材１の前記嵌合溝３が面接触することなく、上段のログハウス用木材１は前記隙間分だけ浮いた状態で下段のログハウス用木材１上に載置することとなる。
【００１０】
以上のように、削る作業が増えるばかりか、前述したように削った場合には、その削り度合のバラつきにより、ログハウスの前記外壁及び前記仕切壁を形成するために多段に積み重ねた段階で、積み重ねた全ての段をボルトとナットにより一体にすべく固定する際に、この高さの総合計がマチマチになるという事態が発生し、一体にすべく固定する際に、高さ誤差を解消する作業をしなければならなかった。
【００１１】
そこで本発明は、上記問題点に鑑み、ログハウスの外壁及び部屋の仕切壁を形成するために、一方のログハウス用木材と他方のログハウス用木材とを垂直に組み合わせ、この組み合わせたものを順次多段に積み重ねて使用しても、極力高さ誤差を解消する作業をする必要がないようにすることを目的とする。
【課題を解決するための手段】
【００１２】
このため第１のログハウスに使用される壁面構成体に係る発明は、上面に長手方向に沿って設けられた平行な複数条の嵌合突部間に平面状の中央面及び各嵌合突部の外側に外方に向けて徐々に低くなる下り傾斜面を設けると共に、下面に長手方向に沿って設けられた平行な複数条の嵌合溝間に平面状の中央面及び各嵌合溝の外側に外方に向けて徐々に低くなる下り斜面が形成された２本のログハウス用木材のうち、一方のログハウス用木材のほぞ溝に他方のログハウス用木材のほぞを上方から嵌合させて、両者を垂直に連結結合して作製された一方の壁面構成体と、
上面に長手方向に沿って設けられた平行な複数条の嵌合突部に平面状の中央面及び各嵌合突部の外側に外方に向けて徐々に低くなる下り傾斜面を設けると共に、下面に長手方向に沿って設けられた平行な複数条の嵌合溝間に平面状の中央面及び各嵌合溝の外側に外方に向けて徐々に低くなる下り斜面が形成された２本のログハウス用木材のうち、一方のログハウス用木材のほぞ溝に他方のログハウス用木材のほぞを下方から嵌合させて、両者を垂直に連結結合して作製された他方の壁面構成体とを備え、
前記一方の壁面構成体の両ログハウス用木材の上面に設けられた前記中央面と前記他方の壁面構成体の両ログハウス用木材の下面に設けられた前記中央面とを面接触させると共に前記一方の壁面構成体の両ログハウス用木材の上面に設けられた前記嵌合突部に前記他方の壁面構成体の両ログハウス用木材の下面に設けられた前記嵌合溝をそれぞれ嵌合させて、固定手段により前記一方の壁面構成体上に前記他方の壁面構成体を固定することにより作製されたことを特徴とする。
【００１３】
第２のログハウスに使用される壁面構成体に係る発明は、第１の発明において、前記一方の壁面構成体の前記他方のログハウス用木材の前記ほぞはその上面を前記中央面を延長したもので連結側先端面の上部を外方へ突出して形成すると共に、前記他方の壁面構成体の前記他方のログハウス用木材の前記ほぞはその下面を前記中央面を延長したもので連結側先端面の下部を外方へ突出して形成したことを特徴とする。
【００１４】
第３のログハウスに使用される壁面構成体に係る発明は、第１の発明に記載の前記固定手段により前記一方の壁面構成体上に前記他方の壁面構成体を固定して作製された一対の壁面構成体を多段に積み重ねて作製することを特徴とする。
【発明の効果】
【００１５】
本発明は、ログハウスの外壁及び部屋の仕切壁を形成するために、一方のログハウス用木材と他方のログハウス用木材とを垂直に組み合わせ、この組み合わせたものを順次多段に積み重ねて使用しても、高さ調整するための削る作業が必要なく、極力高さ誤差を解消する作業をする必要がないようにすることができる。
【図面の簡単な説明】
【００１６】
【図１】本発明に係る一方の壁面構成体を上方から見た斜視図である。
【図２】本発明に係る一方の壁面構成体を下方から見た斜視図である。
【図３】本発明に係る一方の壁面構成体を構成する他方のログハウス用木材の先端部の斜視図である。
【図４】本発明に係る他方の壁面構成体を上方から見た斜視図である。
【図５】本発明に係る他方の壁面構成体を下方から見た斜視図である。
【図６】本発明に係る他方の壁面構成体を構成する他方のログハウス用木材の先端部の斜視図である。
【図７】一方の壁面構成体と他方の壁面構成体とを組み立てた状態の側面図である。
【図８】従来技術に係る壁面構成体を上方から見た斜視図である。
【図９】従来技術に係る壁面構成体を下方から見た斜視図である。
【発明を実施するための形態】
【００１７】
以下、本発明の実施形態について、図１乃至図７に基づいて説明する。本発明の壁面構成体２０は、例えば下方に配置される一方の壁面構成体２１Ａと、この一方の壁面構成体２１Ａ上に固定される他方の壁面構成体２１Ｂとの一対から構成されるが、先ず前述した一方の壁面構成体２１Ａについて説明する。
【００１８】
下方に配置される前記一方の壁面構成体２１Ａは一方のログハウス用木材２１Ａ１とこの一方のログハウス用木材２１Ａ１に平面視においてＴ字形状（垂直）に連結される他方のログハウス用木材２１Ａ２とから構成され、初めにログハウスの外壁を構成する前記一方のログハウス用木材２１Ａ１について説明する。
【００１９】
（１）前記一方の壁面構成体２１Ａを構成する前記一方のログハウス用木材２１Ａ１について（図１及び図２参照）
前記一方のログハウス用木材２１Ａ１は、概ね角柱状を呈しており、長手方向の一方の側面２１Ａ１１は前記ログハウスの屋外側となるように配置されるもので曲面を呈すると共に、前記一方の側面２１Ａ１１に対向する他方の側面２１Ａ１２は平面を呈する。そして、上面２１Ａ１３には長手方向に沿って平行な複数条（例えば、２条）の嵌合突部２３Ａ１を設けると共に下面２１Ａ１４には長手方向に沿って平行な複数条（例えば、２条）の嵌合溝２４Ａ１を設ける。なお、前記嵌合突部２３Ａ１及び前記嵌合溝２４Ａ１は、ともに断面形状が台形状を呈している。
【００２０】
また、前記上面２１Ａ１３にはこの上面２１Ａ１３に形成された複数条の前記嵌合突部２３Ａ１間の平面状の中央面２５Ａ１と各嵌合突部２３Ａ１の外側に外方に向けて徐々に低くなる下り傾斜面２６Ａ１とを形成すると共に、前記下面２１Ａ１４にはこの下面２１Ａ１４に形成された複数条の前記嵌合溝２４Ａ１間の平面状の中央面２７Ａ１と前記嵌合溝２４Ａ１のそれぞれの外側に外方に向けて徐々に低くなる下り斜面２８Ａ１とを形成する。
【００２１】
外側から雨水やゴミ・埃等が侵入するのを防止するために、前述したように、前記嵌合突部２３Ａ１を設けるが、より確実に防止するために、前記一方のログハウス用木材２１Ａ１の前記上面２１Ａ１３にあってはこの上面２１Ａ１３の前記嵌合突部２３Ａ１間の前記中央面２５Ａ１より前記嵌合突部２３Ａ１の外側の前記下り斜面２６Ａ１の最上部を低くすると共に、前記下面２１Ａ１４にあってはこの下面２１Ａ１４の前記嵌合溝２４Ａ１間の前記中央面２７Ａ１より前記嵌合溝２４Ａ１の外側の前記下り斜面２８Ａ１の最上部を低く形成している。
【００２２】
そして、前記一方のログハウス用木材２１Ａ１の前記上面２１Ａ１３と前記側面２１Ａ１２上部とが交差する角部には、後述するほぞ（蟻）３０Ａが嵌合するほぞ溝２９Ａを形成する。即ち、そのほぞ溝２９Ａの上下方向の深さは前記側面２１Ａ１２全体の長さの半分程度であると共に、水平方向の奥行は前記側面２１Ａ１２の端部から前記上面２１Ａ１３に形成された前記中央面２５Ａ１の一部に届く程度である。
【００２３】
（２）前記一方の壁面構成体２１Ａを構成する前記他方のログハウス用木材２１Ａ２について（図１、図２及び図３参照）
次に、下方に配置される前記一方の壁面構成体２１Ａを構成し、前記一方のログハウス用木材２１Ａ１に連結される前記他方のログハウス用木材２１Ａ２について説明する。先ず、ログハウスの部屋の仕切壁を構成する前記他方のログハウス用木材２１Ａ２は概ね角柱状を呈しており、長手方向の一方の側面２１Ａ２１は曲面を呈すると共に、この一方の側面２１Ａ２１に対向する他方の側面２１Ａ２２は平面を呈する。そして、上面２１Ａ２３には長手方向に沿って平行な複数条（例えば、２条）の嵌合突部２３Ａ２を設けると共に下面２１Ａ２４には長手方向に沿って平行な複数条（例えば、２条）の嵌合溝２４Ａ２を設ける。なお、前記一方のログハウス用木材２３Ａ１に平面視において垂直に連結結合する前記他方のログハウス用木材２３Ａ２の前記嵌合突部２３Ａ２及び前記嵌合溝２４Ａ２は、ともに断面形状が台形状を呈している。
【００２４】
また、前記上面２１Ａ２３にはこの上面２１Ａ２３に形成された複数条の前記嵌合突部２３Ａ２間の平面状の中央面２５Ａ２と各嵌合突部２５Ａ２の外側に外方に向けて徐々に低くなる下り斜面２６Ａ２とを形成すると共に、前記下面２１Ａ２４にはこの下面２１Ａ２４に形成された複数条の前記嵌合溝２４Ａ２間の平面状の中央面２７Ａ２と前記嵌合溝２４Ａ２のそれぞれの外側に外方に向けて徐々に低くなる下り斜面２８Ａ２とを形成する。
【００２５】
また、外側から雨水やゴミ・埃等が侵入するのを防止するために、前述したように、前記嵌合突部２３Ａ２を設けるが、より確実に防止するために、前記他方のログハウス用木材２１Ａ２の前記上面２１Ａ２３にあってはこの上面２１Ａ２３の前記嵌合突部２３Ａ２間の前記中央面２５Ａ２より前記嵌合突部２３Ａ２の外側の前記下り斜面２６Ａ２の最上部を低くすると共に、下面２１Ａ２４にあってはこの下面２１Ａ２４の前記嵌合溝２４Ａ２間の前記中央面２７Ａ２より前記嵌合溝２４Ａ２の外側の前記下り斜面２８Ａ２の最上部を低く形成している。
【００２６】
そして、前記一方のログハウス用木材２１Ａ１の前記ほぞ溝２９Ａに上方から嵌合するほぞ３０Ａを前記他方のログハウス用木材２１Ａ２の連結側先端面の上部を外方へ突出させるように形成する。即ち、図３に示すように、前記ほぞ３０Ａはその上面を前記中央面２５Ａ２を延長したものであって、前記連結側先端面の上部を外方へ突出して形成した縦断面形状がほぼ半円状の突部３０Ａ１と、この突部３０Ａ１先端面の上部を更に外方へ突出して形成した縦断面形状が先端に向かうに従って大径であるほぼ半円状を呈する突部３０Ａ２とから構成される。そして、前記突部３０Ａ１の上面は前記他方のログハウス用木材２１Ａ２の前記上面２１Ａ２３と同じである延長した面であり、前記突部３０Ａ２の上面も前記中央面２５Ａ２と同じである延長した面であると共に上方から見た形状が上底が下底より長い台形状を呈している。
【００２７】
なお、前記一方のログハウス用木材２１Ａ１の前記ほぞ溝２９Ａは、前記他方のログハウス用木材２１Ａ２の前記ほぞ３０Ａが嵌合するので、両者は同じかほぼ同じ形状及び体積である。
【００２８】
従って、前記一方のログハウス用木材２１Ａ１の前記ほぞ溝２９Ａに前記他方のログハウス用木材２１Ａ２の前記ほぞ３０Ａを上方から嵌合させると、前記一方のログハウス用木材２１Ａ１の前記中央面２５Ａ１と前記他方のログハウス用木材２１Ａ２の前記ほぞ３０Ａの上面とが同じ面一で、前記一方のログハウス用木材２３Ａ１に前記他方のログハウス用木材２３Ａ２が平面視において垂直に連結結合することとなる。即ち、両者はＴ字形状に連結結合することとなる。
【００２９】
（３）前記他方の壁面構成体２１Ｂを構成する前記一方のログハウス用木材２１Ｂ１について（図４及び図５参照）
次に、前記一方の壁面構成体２１Ａに上方から固定される前記他方の壁面構成体２１Ｂを構成する前記一方のログハウス用木材２１Ｂ１について、以下説明する。このログハウスの前記外壁を構成する一方のログハウス用木材２１Ｂ１は概ね角柱状を呈しており、長手方向の一方の側面２１Ｂ１１は曲面を呈すると共に、この一方の側面２１Ｂ１１に対向する他方の側面２１Ｂ１２は平面を呈する。
【００３０】
そして、上面２１Ｂ１３には長手方向に沿って平行な複数条（例えば、２条）の嵌合突部２３Ｂ１を設けると共に、下面２１Ｂ１４には長手方向に沿って平行な複数条（例えば、２条）の嵌合溝２４Ｂ１を設ける。なお、前記嵌合突部２３Ｂ１及び前記嵌合溝２４Ｂ１は、ともに断面形状が台形状を呈している。
【００３１】
また、前記上面２１Ｂ１３にはこの上面２１Ｂ１３に形成された複数条の前記嵌合突部２３Ｂ１間の平面状の中央面２５Ｂ１と各嵌合突部２３Ｂ１の外側に外方に向けて徐々に低くなる下り斜面２６Ｂ１とを形成すると共に、前記下面２１Ｂ１４にはこの下面２１Ｂ１４に形成された複数条の前記嵌合溝２４Ｂ１間の平面状の中央面２７Ｂ１と前記嵌合溝２４Ｂ１のそれぞれの外側に外方に向けて徐々に低くなる下り斜面２８Ｂ１とを形成する。
【００３２】
また、外側から雨水やゴミ・埃等が侵入するのを防止するために、前述したように、前記嵌合突部２３Ｂ１を設けるが、より確実に防止するために、前記一方のログハウス用木材２１Ｂ１の前記上面２１Ｂ１３にあってはこの上面２１Ｂ１３の前記嵌合突部２３Ｂ１間の前記中央面２５Ｂ１より前記嵌合突部２３Ｂ１の外側の前記下り斜面２６Ｂ１の最上部を低くすると共に、前記下面２１Ｂ１４にあってはこの下面２１Ｂ１４の前記嵌合溝２４Ｂ１間の前記中央面２７Ｂ１より前記嵌合溝２４Ｂ１の外側の下り斜面２８Ｂ１の最上部を低く形成している。
【００３３】
そして、前記一方のログハウス用木材２１Ｂ１の前記下面２１Ｂ１４と前記側面２１Ｂ１２下部とが交差する角部には、後述するほぞ３０Ｂが嵌合するほぞ溝２９Ｂを形成する。即ち、そのほぞ溝２９Ｂの上下方向の深さは、前記側面２１Ｂ１２全体の長さの半分程度であると共に水平方向の奥行は前記側面２１Ｂ１２の端部から前記下面２１Ｂ１４に形成された前記中央面２７Ｂ１の一部に届く程度である。
【００３４】
（４）前記他方の壁面構成体２１Ｂを構成する前記他方のログハウス用木材２１Ｂ２について（図４、図５及び図６参照）
以下、上方に配置される前記他方の壁面構成体２１Ｂを構成し、前記一方のログハウス用木材２１Ｂ１に連結される前記他方のログハウス用木材２１Ｂ２について説明する。先ず、前記ログハウスの前記仕切壁を構成する前記他方のログハウス用木材２１Ｂ２は概ね角柱状を呈しており、長手方向の一方の側面２１Ｂ２１は曲面を呈すると共に、この一方の側面２１Ｂ２１に対抗する他方の側面２１Ｂ２２は平面を呈する。
【００３５】
そして、上面２１Ｂ２３には長手方向に沿って平行な複数条（例えば、２条）の嵌合突部２３Ｂ２を設けると共に、下面２１Ｂ２４には長手方向に沿って平行な複数条（例えば、２条）の嵌合溝２４Ｂ２を設ける。なお、前記一方のログハウス用木材２３Ｂ１に平面視において垂直に連結結合する前記他方のログハウス用木材２３Ｂ２の前記嵌合突部２３Ｂ２及び前記嵌合溝２４Ｂ２は、ともに断面形状が台形状を呈している。
【００３６】
また、前記上面２１Ｂ２３にはこの上面２１Ｂ２３に形成された複数条の前記嵌合突部２３Ｂ２間の平面状の中央面２５Ｂ２と各嵌合突部２５Ｂ２の外側に外方に向けて徐々に低くなる下り斜面２６Ｂ２とを形成すると共に、前記下面２１Ｂ２４にはこの下面２１Ｂ２４に形成された複数条の前記嵌合溝２４Ｂ２間の平面状の中央面２７Ｂ２と前記嵌合溝２４Ｂ２のそれぞれの外側に外方に向けて徐々に低くなる下り斜面２８Ｂ２とを形成する。
【００３７】
また、外側から雨水やゴミ・埃等が侵入するのを防止するために、前述したように、前記嵌合突部２３Ｂ２を設けるが、より確実に防止するために、前記他方のログハウス用木材２１Ｂ２の前記上面２１Ｂ２３にあってはこの上面２１Ｂ２３の前記嵌合突部２３Ｂ２間の前記中央面２５Ｂ２より前記嵌合突部２３Ｂ２の外側の前記下り斜面２６Ｂ２の最上部を低くすると共に、前記下面２１Ｂ２４にあってはこの下面２１Ｂ２４の前記嵌合溝２４Ｂ２間の前記中央面２７Ｂ２より前記嵌合溝２４Ｂ２の外側の下り斜面２８Ｂ２の最上部を低く形成している。
【００３８】
そして、前記一方のログハウス用木材２１Ｂ１の前記ほぞ溝２９Ｂに下方から嵌合するほぞ３０Ｂを前記他方のログハウス用木材２１Ｂ２の連結側先端面の下部を外方へ突出させるように形成する。即ち、図６に示すように、前記ほぞ３０Ｂはその下面を前記中央面２５Ｂ２を延長したものであって、前記連結側先端面の下部を外方へ突出して形成した縦断面形状がほぼ半円状の突部３０Ｂ１と、この突部３０Ｂ１先端面の下部を更に外方へ突出して形成した縦断面形状が先端に向かうに従って大径であるほぼ半円状を呈する突部３０Ｂ２とから構成される。そして、前記突部３０Ｂ１の下面は前記他方のログハウス用木材２１Ｂ２の前記下面２１Ｂ２４と同じである延長した面であり、前記突部３０Ｂ２の下面も前記中央面２５Ｂ２と同じである延長した面であると共に下方から見た形状が上底が下底より長い台形状を呈している。
【００３９】
なお、前記一方のログハウス用木材２１Ｂ１の前記ほぞ溝２９Ｂは、前記他方のログハウス用木材２１Ｂ２の前記ほぞ３０Ｂが嵌合するので、両者は同じかほぼ同じ形状及び体積である。
【００４０】
従って、前記一方のログハウス用木材２１Ｂ１の前記ほぞ溝２９Ｂに前記他方のログハウス用木材２１Ｂ２の前記ほぞ３０Ｂを下方から嵌合させると、前記一方のログハウス用木材２１Ｂ１の前記中央面２７Ｂ１と前記他方のログハウス用木材２１Ｂ２の前記ほぞ３０Ｂの下面とが同じ面一で、前記一方のログハウス用木材２３Ｂ１に前記他方のログハウス用木材２３Ｂ２が平面視において垂直に連結結合することとなる。即ち、両者はＴ字形状に連結結合することとなる。
【００４１】
（５）前記一方の壁面構成体２１Ａと前記他方の壁面構成体２１Ｂとの組立（図７参照）
以上のように、平面視においてＴ字形状に組立られた前記一方の壁面構成体２１Ａと、同じく平面視においてＴ字形状に組立られた前記他方の壁面構成体２１Ｂとを、図７に示すように、固定手段である、例えばボルト３１及びナット３２を使用して、一体化するが、以下詳述する。
【００４２】
即ち、前述したように、初めに前記一方の壁面構成体２１Ａを構成する前記一方のログハウス用木材２１Ａ１と同じく前記他方のログハウス用木材２１Ａ２とを、前記一方のログハウス用木材２１Ａ１の前記ほぞ溝２９Ａに前記他方のログハウス用木材２１Ａ２の前記ほぞ３０Ａを上方から嵌合させて、両者を平面視において垂直に連結結合し、前記一方の壁面構成体２１Ａを形成する。また、前記他方の壁面構成体２１Ｂを構成する前記一方のログハウス用木材２１Ｂ１と同じく前記他方のログハウス用木材２１Ｂ２とを、前記一方のログハウス用木材２１Ｂ１の前記ほぞ溝２９Ｂに前記他方のログハウス用木材２１Ｂ２の前記ほぞ３０Ｂを下方から嵌合させて、両者を平面視において垂直に連結結合し、前記他方の壁面構成体２１Ｂを形成する。
【００４３】
次いで、前記一方の壁面構成体２１Ａを構成する前記一方のログハウス用木材２１Ａ１の前記嵌合突部２３Ａ１及び同じく前記一方の壁面構成体２１Ａの前記他方のログハウス用木材２１Ａ２の前記嵌合突部２３Ａ２に、前記他方の壁面構成体２１Ｂを構成する前記一方のログハウス用木材２１Ｂ１の前記嵌合溝２４Ｂ１及び同じく前記他方の壁面構成体２１Ｂの前記他方のログハウス用木材２１Ｂ２の前記嵌合溝２４Ｂ２がそれぞれ嵌合させて、前記一方の壁面構成体２１Ａ上に前記他方の壁面構成体２１Ｂを載置する。
【００４４】
なお、前記嵌合突部２３Ａ１、２３Ａ２、２３Ｂ１、２３Ｂ２、前記嵌合溝２４Ａ１、２４Ａ２、２４Ｂ１、２４Ｂ２は、ほぼ同じ形状及び体積である。
【００４５】
載置した場合、前記一方の壁面構成体２１Ａを構成する前記一方のログハウス用木材２１Ａ１の上の前記中央面２５Ａ１と前記他方のログハウス用木材２１Ａ２の上の前記中央面２５Ａ２とが連続して同じ面一となっている前記一方の壁面構成体２１Ａ上に、前記他方の壁面構成体２１Ｂを構成する前記一方のログハウス用木材２１Ｂ１の下の前記中央面２７Ｂ１と前記他方のログハウス用木材２１Ｂ２の下の前記中央面２７Ｂ２とが連続して同じ面一となっている前記他方の壁面構成体２１Ｂが載置することとなる。
【００４６】
即ち、極力高さ方向（厚さ方向）のズレが生じない状態で、前記一方の壁面構成体２１Ａの前記上面２１Ａ１３、２１Ａ２３の前記中央面２５Ａ１、２５Ａ２と前記他方の壁面構成体２１Ｂの前記下面２１Ｂ１４、２１Ｂ２４の前記中央面２７Ｂ１、２７Ｂ２とが面接触すると共に、前記一方の壁面構成体２１Ａの前記嵌合突部２３Ａ１、２３Ａ２と、前記他方の壁面構成体２１Ｂの前記嵌合溝２４Ｂ１、２４Ｂ２とがそれぞれ嵌合することとなる。従って、極力高さ誤差を解消する作業をする必要がないようにすることができる。
【００４７】
次に、図７に示すように、前記一方の壁面構成体２１Ａと前記他方の壁面構成体２１Ｂとを前記ボルト３１及び前記ナット３２を使用して、一体化する。即ち、前記ログハウス用木材２１Ａ１及び前記ログハウス用木材２１Ｂ１を貫通する貫通孔３５Ａ１及びこの貫通孔３５Ａ１の端部に段差を介してそれぞれ係止孔３６Ａ１を開設すると共に、前記ログハウス用木材２１Ａ２及び前記ログハウス用木材２１Ｂ２を貫通する貫通孔３５Ｂ１及びこの貫通孔３５Ｂ１の端部に段差を介してそれぞれ係止孔３６Ｂ１を開設してあるので、前記ボルト３１をそれぞれ前記貫通孔３５Ａ１及び３５Ｂ１に挿入して前記ナット３２を締めて一体化する。
【００４８】
即ち、各ボルト３１の頭部を上の前記係止孔３６Ａ１、３６Ｂ１と前記貫通孔３５Ａ１、３５Ｂ１との段差部に係止するように且つ前記ボルト３１と螺合する前記ナット３２を下の前記係止孔３６Ａ１、３６Ｂ１と前記貫通孔３５Ａ１、３５Ｂ１との段差部に係止するようにして、前記一方の壁面構成体２１Ａと前記他方の壁面構成体２１Ｂとを一体化する。
【００４９】
なお、図面では、説明の便宜上、前記貫通孔３５Ａ１、３５Ｂ１及び前記係止孔３６Ａ１、３６Ｂ１を、前記ログハウス用木材２１Ａ１、２１Ａ２、２１Ｂ１、２１Ｂ２にそれぞれ一つずつしか開設しないが、複数開設して、複数の前記ボルト３１と前記ナット３２により固定するものとする。
【００５０】
この場合、前述したように、高さ方向（厚さ方向）のズレが生じない状態で、前記一方の壁面構成体２１Ａと前記他方の壁面構成体２１Ｂとを一体化することができる。
【００５１】
（６）前記壁面構成体２０の組立
次に、前記一方の壁面構成体２１Ａと前記他方の壁面構成体２１Ｂとを、前述したように前記ボルト３１と前記ナット３２を使用して組立して一体化することにより作製した前記壁面構成体２０を、複数作製する。その後に、前記一方の壁面構成体２１Ａと前記他方の壁面構成体２１Ｂとの一対で構成された前記壁面構成体２０を多段に積み重ねる。この場合、前記一方の壁面構成体２１Ａ上に前記他方の壁面構成体２１Ｂを固定して一体化して作製した前記壁面構成体２０は、高さ方向（厚さ方向）のズレが生じてないものであるため、複数の前記壁面構成体２０を多段に積み重ねても、極力高さ誤差を解消する作業をする必要がない前記ログハウスの前記外壁と部屋の前記仕切壁を作製できる。
【００５２】
なお、前記壁面構成体２０を多段に積み重ねる際には、下段の前記壁面構成体２０の前記他方の壁面構成体２１Ｂの前記ログハウス用木材２１Ｂ１、２１Ｂ２に形成された前記嵌合突部２３Ｂ１、２３Ｂ２が、上段の前記壁面構成体２０の前記一方の壁面構成体２１Ａの前記ログハウス用木材２１Ａ１、２１Ａ２に形成された前記嵌合溝２４Ａ１、２４Ａ２に嵌合することなる。
【００５３】
この場合、前記他方の壁面構成体２１Ｂを構成する前記一方のログハウス用木材２１Ｂ１の前記上面２１Ｂ１３の前記中央面２５Ｂ１と前記他方のログハウス用木材２１Ｂ２の前記上面２１Ｂ２３の前記中央面２５Ｂ２とが同じ高さレベルとなっている前記他方の壁面構成体２１Ｂ上に、前記一方の壁面構成体２１Ａを構成する前記一方のログハウス用木材２１Ａ１の前記下面２１Ａ１４の前記中央面２７Ａ１と前記一方のログハウス用木材２１Ａ２の前記下面２１Ａ２４の前記中央面２７Ａ２とが同じ高さレベルとなっている前記一方の壁面構成体２１Ａを載置する。
【００５４】
即ち、高さ方向（厚さ方向）のズレが生じない状態で、前記他方の壁面構成体２１Ｂの前記上面２１Ｂ１３、２１Ｂ２３の前記中央面２５Ｂ１、２５Ｂ２と前記一方の壁面構成体２１Ａの前記下面２１Ａ１４、２１Ａ２４の前記中央面２７Ａ１、２７Ａ２とが面接触すると共に、前記他方の壁面構成体２１Ｂの前記上面２１Ｂ１３、２１Ｂ２３の前記嵌合突部２３Ｂ１、２３Ｂ２に、前記一方の壁面構成体２１Ａの前記下面２１Ａ１４、２１Ａ２４の前記嵌合溝２４Ａ１、２４Ａ２がそれぞれ嵌合することとなる。
【００５５】
以上のように、前記一方の壁面構成体２１Ａと前記他方の壁面構成体２１Ｂとの一対で構成された前記壁面構成体２０を多段に積み重ね、次いで図示しないが、前記壁面構成体２０を作製する場合と同様な方法で、固定手段であるボルトとナットを使用して、多段に積み重ねられた前記壁面構成体２０を前記ボルトが貫通した状態で、前記ナットを締めることにより、前記ログハウスの前記外壁と部屋の前記仕切壁を形成する。
【００５６】
なお、前記ボルト３１と前記ナット３２により、前記一方の壁面構成体２１Ａと前記他方の壁面構成体２１Ｂとを固定して前記壁面構成体２０を構成する際に、前記ナット３１を下の前記係止孔３６Ａ１、３６Ｂ１と前記貫通孔３５Ａ１、３５Ｂ１との段差部に係止するようにしたが、前記ボルト３１の頭部と前記ナット３２とを上下逆にして、前記ナット３１を上の前記係止孔３６Ａ１、３６Ｂ１と前記貫通孔３５Ａ１、３５Ｂ１との段差部に係止するようにして固定してもよく、前記壁面構成体２０を多段に積み重ねて、前記ボルトと前記ナットとを使用して固定する場合にも、同様に前記ボルトの頭部と前記ナットを上下いずれにしてもよい。
【００５７】
以上のように、本実施形態によれば、従来技術について説明したように、平面視Ｔ字状に組み合わせた前記壁面構成体１０を順次多段に積み重ねる場合には、前記ほぞ溝８が形成された一方のログハウス用木材１の組み合わせ側の前記下り斜面５とほぼ同じ面一となるように、前記ほぞ９が形成された他方のログハウス用木材１の組み合わせ側の前記ほぞ９の根元に近い部位Ｓ、下段の一方のログハウス用木材１の前述した組み合わせ側の前記下り斜面５の延長線上にある他方のログハウス用木材１の前記ほぞ９の根元に近い前記嵌合突部２及び前記中央面４を削る必要が無く、また高さ方向（厚さ方向）のズレが生じない状態で前記壁面構成体１０を順次多段に積み重ねることができる。
【００５８】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００５９】
２０                壁面構成体
２１Ａ              一方の壁面構成体
２１Ｂ              他方の壁面構成体
２１Ａ１            一方のログハウス用木材
２１Ａ２            他方のログハウス用木材
２１Ｂ１            一方のログハウス用木材
２１Ｂ２            他方のログハウス用木材
２３Ａ１、２３Ａ２  嵌合突部
２３Ｂ１、２３Ｂ２  嵌合突部
２４Ａ１、２４Ａ２  嵌合溝
２４Ｂ１、２４Ｂ２  嵌合溝
２５Ａ１、２５Ａ２  中央面
２５Ｂ１、２５Ｂ２  中央面
２６Ａ１、２６Ａ２  下り傾斜面
２６Ｂ１、２６Ｂ２  下り傾斜面
２７Ａ１、２７Ａ２  中央面
２７Ｂ１、２７Ｂ２  中央面
２８Ａ１、２８Ａ２  下り傾斜面
２８Ｂ１、２８Ｂ２  下り傾斜面
２９Ａ、２９Ｂ      ほぞ溝
３０Ａ、３０Ｂ      ほぞ
３１                ボルト
３２                ナット
【図１】
2017133266.tif 000003
【図２】
2017133266.tif 000004
【図３】
2017133266.tif 000005
【図４】
2017133266.tif 000006
【図５】
2017133266.tif 000007
【図６】
2017133266.tif 000008
【図７】
2017133266.tif 000009
【図８】
2017133266.tif 000010
【図９】
2017133266.tif 000011